(57)【要約】【課題】把持し易い形態にて通話を可能にする。【解決手段】電子機器（１０）が折りたたまれた状態であることを認識する開閉検知部（１４１）と、電子機器（１０）が着信状態になった後、開閉検知部（１４１）が、電子機器（１０）が折りたたまれた状態であると認識した場合に、第１イヤーピース（１）または第２イヤーピース（２）、およびマイク（８）を介した通話を可能にする処理を実行する通話処理部（１４３）とを含む。【選択図】図１
2020123901.tif 000002
【特許請求の範囲】
【請求項１】
第１の筐体と、第２の筐体と、音声出力装置と、音声入力装置と、制御装置と、を備え、
前記音声出力装置は、前記第１の筐体の一面、および前記第２の筐体の一面、の何れか少なくとも一方に配され、
前記第１の筐体の一面と前記第２の筐体の一面とが互いに外側になるように折りたたみ可能な電子機器であって、
前記制御装置は、
前記電子機器が着信状態になった後、前記電子機器が折りたたまれたときに、前記音声出力装置および前記音声入力装置を介した通話を可能にする処理を実行することを特徴とする電子機器。
【請求項２】
前記第１の筐体および前記第２の筐体にわたって設けられ、折りたたみ可能な表示装置を備え、前記表示装置が内側となるように折りたたみ可能であることを特徴とする請求項１に記載の電子機器。
【請求項３】
前記第１の筐体および前記第２の筐体は、長方状であり、かつ、互いに長辺が隣接するように並べて配置され、前記電子機器が開いた状態よりも、折りたたまれた状態における前記電子機器の短辺幅が狭くなることを特徴とする請求項１または２に記載の電子機器。
【請求項４】
前記第１の筐体および前記第２の筐体は、長方状であり、かつ、互いに短辺が隣接するように並べて配置され、前記電子機器が開いた状態よりも、折りたたまれた状態における前記電子機器の長辺幅が狭くなることを特徴とする請求項１または２に記載の電子機器。
【請求項５】
前記電子機器は、
前記電子機器が折りたたまれた状態において、前記制御装置が、通話開始を指示する音声を、前記音声入力装置を介して認識する処理と、
前記制御装置が、前記音声を認識したことをトリガとして、前記音声出力装置および前記音声入力装置を介した通話を可能にする処理と、を実行することを特徴とする請求項１に記載の電子機器。
【請求項６】
前記電子機器は、
前記電子機器が折りたたまれた状態において、前記制御装置が、通話開始を指示する操作指示を受付ける処理と、
前記制御装置が、前記操作指示を受付けたことをトリガとして、前記音声出力装置および前記音声入力装置を介した通話を可能にする処理と、を実行することを特徴とする請求項１に記載の電子機器。
【請求項７】
前記制御装置は、
前記電子機器が前記着信状態にあり、前記通話が可能にされる前に折りたたまれた前記電子機器が開かれたときに、前記表示装置に着信情報を表示させる処理を、さらに実行することを特徴とする請求項２に記載の電子機器。
【請求項８】
前記制御装置は、
前記表示装置に前記着信情報を表示させた後、開かれた前記電子機器が折りたたまれたときに、前記音声出力装置および前記音声入力装置を介した通話を可能にする処理を実行することを特徴とする請求項７に記載の電子機器。
【請求項９】
前記制御装置は、
前記通話が可能にされてから、折りたたまれた前記電子機器が開かれたときに、前記通話を継続する処理と、
前記通話が継続している状態で前記開かれた前記電子機器が折りたたまれたときに、前記通話を終了する処理と、を実行することを特徴とする請求項１から８までの何れか１項に記載の電子機器。
【請求項１０】
前記制御装置は、
前記通話が可能になった後、折りたたまれた前記電子機器が開かれたときに、前記電子機器をハンズフリー通話可能な状態とする処理を実行することを特徴とする請求項１から８までの何れか１項に記載の電子機器。
【請求項１１】
第１の筐体と、第２の筐体と、音声出力装置と、音声入力装置と、を備え、
前記音声出力装置は、前記第１の筐体の一面、および前記第２の筐体の一面、の何れか少なくとも一方に配され、
前記第１の筐体の一面と前記第２の筐体の一面とが互いに外側になるように折りたたみ可能な電子機器を制御する制御装置であって、
前記電子機器が折りたたまれた状態であることを認識する開閉検知部と、
前記電子機器が着信状態になった後、前記開閉検知部が、前記電子機器が折りたたまれた状態であると認識した場合に、前記音声出力装置および前記音声入力装置を介した通話を可能にする処理を実行する通話処理部とを含むことを特徴とする制御装置。
【請求項１２】
請求項１１に記載の制御装置としてコンピュータを機能させるための制御プログラムであって、前記開閉検知部および前記通話処理部としてコンピュータを機能させるための制御プログラム。
【請求項１３】
第１の筐体と、第２の筐体と、音声出力装置と、音声入力装置と、を備え、
前記音声出力装置は、前記第１の筐体の一面、および前記第２の筐体の一面、の何れか少なくとも一方に配され、
前記第１の筐体の一面と前記第２の筐体の一面とが互いに外側になるように折りたたみ可能な電子機器を制御する制御装置の制御方法であって、
前記電子機器が折りたたまれた状態であることを認識する開閉検知工程と、
前記電子機器が着信状態になった後、前記開閉検知工程で、前記電子機器が折りたたまれた状態であると認識した場合に、前記音声出力装置および前記音声入力装置を介した通話を可能にする処理を実行する通話処理工程を含むことを特徴とする制御方法。
【発明の詳細な説明】
【技術分野】
【０００１】
本発明は、表示装置が内側となるように折りたたみ可能な電子機器、制御装置、制御プログラムおよび制御方法に関する。
【背景技術】
【０００２】
近年、タッチパネル式のディスプレイを有し、物理的なキーボードを持たないタブレット型ＰＣやスマートフォン等の携帯型通信端末が急速に普及している。この種の携帯型通信端末のディスプレイは、使用時には大きい方が望ましい反面、携帯時には小型化されることが望まれている。そこで、有機ＥＬ（Electro Luminescence）ディスプレイ等のフレキシブルディスプレイを用いることで、筐体だけでなくディスプレイまでも折りたたみ可能に構成した携帯型通信端末が提案されている（例えば、特許文献１参照）。
【先行技術文献】
【特許文献】
【０００３】
【特許文献１】特開２００６−４２４００号公報
【発明の概要】
【発明が解決しようとする課題】
【０００４】
しかしながら、前記特許文献１には、携帯型通信端末の筐体・ディスプレイの開閉状態と、携帯型通信端末の諸機能の開始、実行および終了との関係については何も開示されていない。そこで、本発明者らは、携帯型通信端末の筐体・ディスプレイの開閉状態と、携帯型通信端末の諸機能の開始、実行および終了との関係について鋭意検討した。検討した結果、本発明者らは、携帯型通信端末を折りたたんだときに通話を可能にすれば、より把持し易い形態にて通話を行うことができるという新規なアイデアに思い至った。
【０００５】
本発明の目的は、電子機器が折りたたまれた状態という把持し易い形態にて通話を行うことができる電子機器などを実現することにある。
【課題を解決するための手段】
【０００６】
前記の課題を解決するために、本発明の一態様に係る電子機器は、第１の筐体と、第２の筐体と、音声出力装置と、音声入力装置と、制御装置と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器であって、前記制御装置は、前記電子機器が着信状態になった後、前記電子機器が折りたたまれたときに、前記音声出力装置および前記音声入力装置を介した通話を可能にする処理を実行する。
【０００７】
前記の課題を解決するために、本発明の一態様に係る制御装置は、第１の筐体と、第２の筐体と、音声出力装置と、音声入力装置と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器を制御する制御装置であって、前記電子機器が折りたたまれた状態であることを認識する開閉検知部と、前記電子機器が着信状態になった後、前記開閉検知部が、前記電子機器が折りたたまれた状態であると認識した場合に、前記音声出力装置および前記音声入力装置を介した通話を可能にする処理を実行する通話処理部とを含む。
【０００８】
前記の課題を解決するために、本発明の一態様に係る制御方法は、第１の筐体と、第２の筐体と、音声出力装置と、音声入力装置と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器を制御する制御装置の制御方法であって、前記電子機器が折りたたまれた状態であることを認識する開閉検知工程と、前記電子機器が着信状態になった後、前記開閉検知工程で、前記電子機器が折りたたまれた状態であると認識した場合に、前記音声出力装置および前記音声入力装置を介した通話を可能にする処理を実行する通話処理工程を含む。
【発明の効果】
【０００９】
本発明の一態様によれば、電子機器が折りたたまれた状態という把持し易い形態にて通話を行うことができるという効果を奏する。
【図面の簡単な説明】
【００１０】
【図１】本発明の実施の一形態に係る電子機器の機能的構成を示すブロック図である。
【図２】前記電子機器の一例を模式的に示す外観図であり、（ａ）は前記電子機器の開状態の表示面側を示す正面図であり、（ｂ）は前記電子機器の開状態の外面側を示す背面図であり、（ｃ）は前記電子機器の閉状態を示す側面図である。
【図３】前記電子機器を上方（図２の（ａ）のＢ方向）から見た外観図であり、（ａ）は前記電子機器の開状態を示し、（ｂ）は前記電子機器の閉状態を示す。
【図４】前記電子機器の特徴的動作の流れを示すフローチャートである。
【発明を実施するための形態】
【００１１】
以下、本発明の実施形態について詳細に説明する。なお、説明の便宜上、各実施形態に示した部材と同一の機能を有する部材については、同一の符号を付記し、適宜その説明を省略する。
【００１２】
また、以下の説明においては、図２の（ａ）において表示装置６に対して第３近接センサ５が配置されている方向を上方として、上下左右の方向を示すものとする。なお、以下に示す上下左右の方向は説明の便宜上のものであり、本発明の実施に対しこれらの方向に限定されることはない。
【００１３】
さらに、本発明の実施の一形態に係る電子機器が備える制御装置、表示装置等の各装置については、単数であってもよいし複数であってもよい。
【００１４】
〔電子機器１０の外観構成〕
まず、図２に基づき、本発明の実施の一形態に係る電子機器１０の外観構成について説明する。図２の（ａ）は電子機器１０の開状態の表示面側を示す正面図である。図２の（ｂ）は電子機器１０の開状態の外面（一面）側を示す背面図である。図２の（ｃ）は電子機器１０の閉状態を示す側面図である。
【００１５】
ここで、電子機器１０の閉状態とは、後述する表示装置６が内側となるように電子機器１０が折りたたまれた状態を示す。または、第１筐体（第１の筐体）１１の外面（一面）１１ａと、第２筐体（第２の筐体）１２の外面１２ａとが互いに外側になるように折りたたまれた状態を示す。また、電子機器１０の開状態とは、電子機器１０が開かれ後述する表示装置６が平坦となる状態を示す。
【００１６】
電子機器１０は、例えばスマートフォンにより実現される。なお、電子機器１０はスマートフォンに限らず、例えば、タブレット端末等、折りたたみ可能な表示装置６を有する各種電子機器に適用することができる。
【００１７】
電子機器１０は、図２の（ａ）に示すように、表示装置６、第１筐体（第１の筐体）１１、第２筐体（第２の筐体）１２、およびヒンジ機構１６を備えている。第１筐体１１および第２筐体１２は、表示装置６、および電子機器１０の内部構造を保護するものである。
【００１８】
第１筐体１１および第２筐体１２は、それぞれ長方状であり、かつ、互いに長辺が隣接するように並べて配置されている。具体的には、第１筐体１１および第２筐体１２は、それぞれ箱型であり、表示装置６側から見た正面視において、略長方形となる。第１筐体１１および第２筐体１２は、前記長方形の長辺同士が隣り合うように並べて配置されている。第１筐体１１と第２筐体１２とは、ほぼ同じ大きさであることが好ましい。この場合、第１筐体１１と第２筐体１２とは閉状態で重なり合う。そのため、閉状態において、表示装置６は外部から視認されない状態となる。
【００１９】
また、上述したように第１筐体１１および第２筐体１２は、長方状であり、かつ、互いに長辺が隣接するように並べて配置され、電子機器１０が開いた状態よりも、折りたたまれた状態における電子機器１０の短辺幅が狭くなる。ここで、電子機器１０の短辺幅とは、図２の（ａ）において、左右方向の幅を示す。これにより、電子機器１０が開いた状態よりも、折りたたまれた状態における電子機器１０の短辺幅が狭くなるため、ユーザが電子機器１０を把持し易くなる。
【００２０】
（ヒンジ機構１６）
ヒンジ機構１６について、図２および図３に基づき説明する。図３は電子機器１０を上方（図２の（ａ）のＢ方向）から見た外観図である。図３の（ａ）は電子機器１０の開状態を示し、図３の（ｂ）は電子機器１０の閉状態を示す。
【００２１】
ヒンジ機構１６は、第１筐体１１と第２筐体１２との間に設けられ、電子機器１０の開閉を可能にする。図３の（ａ）に示すように、電子機器１０の開状態において、ヒンジ機構１６により表示装置６は平坦な状態が保持される。
【００２２】
ヒンジ機構１６は、第１筐体１１または第２筐体１２を回動させる軸となる。ヒンジ機構１６は、第１筐体１１および第２筐体１２の間に配置されており、第１筐体１１および第２筐体１２は、ヒンジ機構１６に固定されている。第１筐体１１および第２筐体１２は、ヒンジ機構１６によって、第２筐体１２または第１筐体１１に対して開閉するように回動可能となる。言い換えると、ヒンジ機構１６は、電子機器１０の開状態から閉状態の移行、および、閉状態から開状態への移行を可能にする。
【００２３】
（表示装置６）
表示装置６は、画像を含む各種情報を表示する。表示装置６は、略長方形でありパネル状である。表示装置６は、第１筐体１１および第２筐体１２にわたって設けられ、電子機器１０は、表示装置６が内側となるように折りたたみ可能である。
【００２４】
第１筐体１１、第２筐体１２、ヒンジ機構１６および表示装置６により、電子機器１０は、表示装置６の略長方形の短辺と直行する前記短辺の中心線を軸として、表示装置６が内側となるように縦長に折りたたみ可能である。これにより、電子機器１０に大きな表示装置６を採用した場合であっても、折りたたむことで持ち運びしやすく、収納しやすくなる。
【００２５】
なお、第１筐体１１および第２筐体１２を、長方状とし、かつ、互いに短辺が隣接するように並べて配置し、電子機器１０が開いた状態よりも、折りたたまれた状態における電子機器１０の長辺幅が狭くなるように構成しても良い。
【００２６】
また、上述したように、電子機器１０は、折りたたむことで、表示装置６が外部から視認されない状態となる。さらに、電子機器１０の外面１１ａおよび１２ａには他の表示装置が設けられないことが好ましく、この場合、電子機器１０の外面１１ａおよび１２ａは、電子機器１０を把持するための把持面として機能する。ここで、他の表示装置とは、前記把持面としての機能を阻害する大きさの表示装置であり、例えば、カラー表示可能な晶ディスプレイまたは有機ＥＬディスプレイ等の表示装置である。したがって、例えば、ＬＥＤ単体のみで形成されるような、小型の表示装置は含まれない。これにより、閉状態で電子機器１０を操作する際、通話など片手での操作を必要とする場合であっても、片手でしっかりと電子機器１０を把持して操作することができる。
【００２７】
（電子機器１０の表示面側）
電子機器１０は、図２の（ａ）に示すように、電子機器１０の表示面側に、第３近接センサ５を備えている。表示面とは、電子機器１０において表示装置６が配置されている側の面を示す。
【００２８】
第３近接センサ５は、近接物を検知する。第３近接センサ５は、表示装置６の上部に配置されている。第３近接センサ５は、例えば、電子機器１０の閉状態および開状態を検知する。また、第３近接センサ５は、ユーザの顔が電子機器１０に近接した位置に存在していることを検知する。電子機器１０は、第３近接センサ５における近接の検知に基づき、表示装置６のＯＮ／ＯＦＦなどの、各種制御を行うことができる。なお、第２筐体１２の下部には、マイク（音声入力装置）８が設けられている。
【００２９】
（電子機器１０の外面側）
さらに、電子機器１０は、図２の（ｂ）に示すように、第１筐体１１の外面１１ａの上部に、第１イヤーピース（音声出力装置）１、および第１近接センサ３を備えている。また、電子機器１０は、第２筐体１２の外面１２ａの上部に第２イヤーピース（音声出力装置）２、および第２近接センサ４を備えている。
【００３０】
第１イヤーピース１および第２イヤーピース２は、音声信号に基づいて音声を出力する。第１イヤーピース１および第２イヤーピース２は、例えば、通話などの音声が出力される。第１イヤーピース１は、電子機器１０の閉状態において、ユーザの顔に外面１１ａを顔に近づけた状態で通話を行う際、ユーザの耳元の近傍に位置するように、外面１１ａに配置されている。第２イヤーピース２も第１イヤーピース１と同様に、外面１２ａの上部に配置されている。これにより、電子機器１０の閉状態において、外面１２ａおよび外面１２ａのどちらをユーザ側にしても、通話を行うことができる。
【００３１】
第１イヤーピース１および第２イヤーピース２は、いずれか１つであってもよい。外面１１ａおよび外面１２ａの何れか一方に第１イヤーピース１または第２イヤーピース２が配されていればよい。
【００３２】
また、外面に配されたイヤーピースが一つの場合、電子機器１０の閉状態において、外面のイヤーピースから通話などの音声が出力されているときに、近接センサが、外面のイヤーピースに近接物を検知しなかった場合（つまりユーザの耳が外面の一つのイヤーピースの近傍にないと判断される場合）、制御装置１４は、スピーカ９から警告音を発生させても良い。
【００３３】
第１近接センサ３および第２近接センサ４は、近接物を検知する。第１近接センサ３は、外面１１ａの上部、かつ、第１イヤーピース１の近傍に配置されている。第２近接センサ４は、外面１２ａの上部、かつ、第２イヤーピース２の近傍に配置されている。これにより、電子機器１０は、閉状態において、１８０°逆の方向の近接物を同時に検知することができる。
【００３４】
また、第１近接センサ３および第２近接センサ４は、いずれか１つであってもよい。外面１１ａおよび外面１２ａの何れか一方に第１近接センサ３または第２近接センサ４が配されていればよい。例えば、イヤーピースが一つの場合、近接センサもそのイヤーピースの近傍に１つ配されていてもよい。
【００３５】
また、第１近接センサ３および第２近接センサ４は、ユーザの顔が電子機器１０に近接した位置に存在していることを検知する。電子機器１０は、例えば、通話時の第１近接センサ３および第２近接センサ４におけるユーザの顔の近接の検知に基づき、ユーザの顔の近接を検知した側に配置された音声出力装置（第１イヤーピース１もしくは第２イヤーピース２）を動作させる制御を行うことができる。
【００３６】
なお、上述したように、第２筐体１２の下部には、マイク８が設けられている。マイク８は、電子機器１０に到達する音声の入力を受け付ける。具体的には、マイク８は、ユーザから電話の相手先に対する通話などの音声が入力される。これにより、電子機器１０に対して１つのマイク８で開状態および閉状態において音声入力を行うことができる。また、スピーカ９およびマイク８により、電子機器１０はハンズフリーで通話を行うことができる。
【００３７】
〔電子機器１０の機能的構成〕
次に、図１に基づき、電子機器１０の機能的構成について説明する。図１は、電子機器１０の概略構成を示すブロック図である。図１に示すように、電子機器１０は、第１イヤーピース１、第２イヤーピース２、第１近接センサ３、第２近接センサ４、第３近接センサ５、表示装置６、タッチパネル７、マイク８、スピーカ９、通信装置１３、制御装置１４および記憶装置１５を備えている。
【００３８】
上述したように、第１イヤーピース１および第２イヤーピース２は、例えば、通話などの音声が出力される。また、第１近接センサ３および第２近接センサ４は、ユーザの顔が電子機器１０に近接した位置に存在していることを検知する。第３近接センサ５は、例えば、電子機器１０の閉状態、および開状態を検知する。
【００３９】
表示装置６は、画像を含む各種情報を表示する。タッチパネル７は、ユーザのタッチ操作による操作指令を電気信号に変換して後述する指令受付部１４２に出力する。また、マイク８は、入力された音声を電気信号に変換して指令受付部１４２に出力する。
【００４０】
スピーカ９は、音声信号に基づいて音声を出力する。スピーカ９は、第１イヤーピース１および第２イヤーピース２より音圧レベルが高い。上述したようにスピーカ９およびマイク８により、電子機器１０はハンズフリーで通話を行うことができる。
【００４１】
通信装置１３は、電話網を介して他の通信装置（例えば、他のスマートフォン）と通信を行う。これにより、電子機器１０は、電話網を介して他の通信装置と通話を行うことができる。
【００４２】
次に、図１に示すように、制御装置１４は、開閉検知部１４１、指令受付部１４２、通話処理部１４３、通信制御部１４４、および表示制御部１４５を備える。開閉検知部１４１は、第３近接センサ５の検知結果に基づき、電子機器１０の開閉を検知し、その検知結果を通話処理部１４３または表示制御部１４５に伝達する。すなわち、開閉検知部１４１は、電子機器１０が折りたたまれた状態であることを認識できる。
【００４３】
指令受付部１４２は、タッチパネル７からの電気信号に基づき、ユーザによる操作命令を特定する。また、指令受付部１４２は、マイク８からの電気信号に基づき、音声認識を行ってユーザによる操作命令を特定する。さらに、指令受付部１４２は、前記操作指令の特定結果を通話処理部１４３に伝達する。
【００４４】
通話処理部１４３は、例えば、電子機器１０が着信状態になった後、開閉検知部１４１が、電子機器１０が折りたたまれた状態であると認識した場合に、第１イヤーピース１または第２イヤーピース２、およびマイク８を介した通話を可能にする処理を実行する。これにより、電子機器１０が折りたたまれた状態という把持し易い形態にて通話を行うことができる。
【００４５】
また、上述したように、通話処理部１４３は、電子機器１０が前記着信状態になった後、電子機器１０が折りたたまれたときに、第１イヤーピース１または第２イヤーピース２、およびマイク８を介した通話を可能にする処理を実行する。これにより、電子機器１０を折りたたむことで通話が可能になるため、ユーザは簡単な操作により通話を行うことができる。
【００４６】
また、電子機器１０は、電子機器１０が折りたたまれた状態において、制御装置１４の指令受付部１４２が、通話開始を指示する音声を、マイク８を介して認識し、前記音声を認識したことをトリガとして、第１イヤーピース１または第２イヤーピース２、およびマイク８を介した通話を可能にしても良い。これにより、電子機器１０が折りたたまれた状態において、通話開始を指示する音声を認識したことをトリガとして通話を行うことができる。音声認識により通話が開始されるため、折りたたんだ状態の電子機器１０に操作キー等を設ける必要がない。
【００４７】
また、電子機器１０は、電子機器１０が折りたたまれた状態において、制御装置１４の指令受付部１４２が、通話開始を指示する操作指示を受付け、前記操作指示を受付けたことをトリガとして、第１イヤーピース１または第２イヤーピース２、およびマイク８を介した通話を可能にしても良い。これにより、電子機器１０が折りたたまれた状態において、通話開始を指示する操作指示を受付けたことをトリガとして通話を行うことができる。
【００４８】
また、電子機器１０が着信状態にあり、開閉検知部１４１が、前記通話が可能にされる前に折りたたまれた電子機器１０が開かれたことを検知したときに、表示制御部１４５が表示装置６に着信情報を表示させても良い。これにより、電子機器１０が着信状態にあるときに、電子機器１０を開くという簡単な操作で、着信情報を見ることができる。
【００４９】
また、表示制御部１４５が表示装置６に前記着信情報を表示させた後、開閉検知部１４１が、開かれた電子機器１０が折りたたまれたことを検知したときに、通話処理部１４３が、第１イヤーピース１または第２イヤーピース２、およびマイク８を介した通話を可能にしても良い。これにより、着信情報を確認した後に、電子機器１０を折りたたむという簡単な操作で、通話を行うことができる。
【００５０】
また、開閉検知部１４１が、前記通話が可能にされてから、折りたたまれた電子機器１０が開かれたことを検知したときに、通話処理部１４３は、前記通話を継続しても良い。
【００５１】
また、開閉検知部１４１が、前記通話が継続している状態で前記開かれた電子機器１０が折りたたまれたことを検知したときに、前記通話を終了させても良い。これにより、通話中に電子機器１０を一旦開いてから折りたたむという簡単な操作により、通話を終了させることができる。
【００５２】
また、開閉検知部１４１が、前記通話が可能になった後、折りたたまれた電子機器１０が開かれたことを検知したときに、通話処理部１４３は、電子機器１０をハンズフリー通話可能な状態とする処理を実行しても良い。これにより、通話中に電子機器１０を開くという簡単な操作で、ハンズフリー通話可能な状態とすることができる。記憶装置１５には、各種データが記録される。例えば、通信制御部１４４が作成した通信履歴などの着信情報を例示することができる。
【００５３】
（電子機器１０の特徴的な動作）
次に、図４に基づき、電子機器１０の特徴的な動作、すなわち電子機器１０を制御する制御装置１４の制御方法について説明する。図４は、電子機器１０の特徴的動作の流れを示すフローチャートである。以下、電子機器１０を単に「端末」と略称することがある。
【００５４】
図４の（ａ）に示すように、制御装置１４は、端末が閉状態にあるときに動作を開始し、ステップＳ（以下、「ステップ」は省略する）１０１に進む。Ｓ１０１では、通信制御部１４４が、電子機器１０が着信中か否かを確認する。その結果、電子機器１０が着信状態にある場合は（ＹＥＳ）、Ｓ１０２に進む。一方、電子機器１０が着信状態にない場合は（ＮＯ）、Ｓ１０１に戻る。
【００５５】
Ｓ１０２では、通話処理部１４３が、スピーカ９を介して着信音を出力し（鳴動させ）、Ｓ１０３に進む。
【００５６】
Ｓ１０３では、開閉検知部１４１が、端末が開状態になったか否かを確認する。その結果、端末が開状態になった場合（ＹＥＳ）、Ｓ１０４に進む。一方、端末が開状態になっていない場合（ＮＯ）、Ｓ１０６に進む。
【００５７】
Ｓ１０４では、表示制御部１４５が、表示装置６に着信情報を表示させてＳ１０５に進む。Ｓ１０５では、開閉検知部１４１が、端末が閉状態にあるか否かを検知し（開閉検知工程）、端末が閉状態にある場合（ＹＥＳ）、「Ａ」に進む。一方、端末が閉状態にない場合（ＮＯ）、「Ｂ」に進み、Ｓ１０１に戻る。
【００５８】
Ｓ１０６では、第１近接センサ３または第２近接センサ４が、ユーザの顔が電子機器１０に近接した位置に存在していることを検知することで、通話処理部１４３は、ユーザが受話操作を行ったか否かことを確認する。その結果、受話操作が行われた場合は（ＹＥＳ）、「Ａ」に進む。一方、受話操作が行われなかった場合は（ＮＯ）、「Ｂ」に進み、Ｓ１０１に戻る。
【００５９】
次に、図４の（ｂ）に示すように、「Ａ」からＳ２０１に進む。Ｓ２０１では、通話処理部１４３が、着信音を停止させて、Ｓ２０２に進む。Ｓ２０２では、ユーザが、第１イヤーピース１または第２イヤーピース２、およびマイク８を介した通話を開始し（通話処理工程）、Ｓ２０３に進む。
【００６０】
Ｓ２０３では、開閉検知部１４１が、端末が開状態にあるか否かを検知し、端末が開状態にある場合（ＹＥＳ）、Ｓ２０４に進む。一方、端末が開状態にない場合（ＮＯ）、Ｓ２０３に戻る。
【００６１】
Ｓ２０４では、通話処理部１４３が、表示制御部１４５を制御して、表示装置６に通話情報を表示させてＳ２０５に進む。Ｓ２０５では、開閉検知部１４１が、端末が閉状態にあるか否かを検知し、端末が閉状態にある場合（ＹＥＳ）、Ｓ２０６に進む。一方、端末が閉状態にない場合（ＮＯ）、Ｓ２０５に戻る。Ｓ２０６では、通話処理部１４３が、前記通話を終了させて、「ＥＮＤ」となる。
【００６２】
〔ソフトウェアによる実現例〕
電子機器１０の制御装置１４の制御ブロック（特に開閉検知部１４１、指令受付部１４２、通話処理部１４３、通信制御部１４４および表示制御部１４５）は、集積回路（ＩＣチップ）等に形成された論理回路（ハードウェア）によって実現してもよいし、ソフトウェアによって実現してもよい。
【００６３】
後者の場合、制御装置１４は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６４】
〔まとめ〕
本発明の態様１に係る電子機器（１０）は、第１の筐体（第１筐体１１）と、第２の筐体（第２筐体１２）と、音声出力装置（第１イヤーピース１、第２イヤーピース２）と、音声入力装置（マイク８）と、制御装置（１４）と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器であって、前記制御装置は、前記電子機器が着信状態になった後、前記電子機器が折りたたまれたときに、前記音声出力装置および前記音声入力装置を介した通話を可能にする処理を実行する。
【００６５】
前記構成によれば、電子機器が折りたたまれた状態という把持し易い形態にて通話を行うことができる。
【００６６】
本発明の態様２に係る電子機器は、前記態様１において、前記第１の筐体および前記第２の筐体にわたって設けられ、折りたたみ可能な表示装置を備え、前記表示装置が内側となるように折りたたみ可能である。
【００６７】
本発明の態様３に係る電子機器は、前記態様１または２において、前記第１の筐体および前記第２の筐体は、長方状であり、かつ、互いに長辺が隣接するように並べて配置され、前記電子機器が開いた状態よりも、折りたたまれた状態における前記電子機器の短辺幅が狭くなっても良い。前記構成によれば、電子機器が開いた状態よりも、折りたたまれた状態における電子機器の短辺幅が狭くなるため、ユーザが電子機器を把持し易くなる。
【００６８】
本発明の態様４に係る電子機器は、前記態様１または２において、前記第１の筐体および前記第２の筐体は、長方状であり、かつ、互いに短辺が隣接するように並べて配置され、前記電子機器が開いた状態よりも、折りたたまれた状態における前記電子機器の長辺幅が狭くなっても良い。前記構成によれば、電子機器が開いた状態よりも、折りたたまれた状態における電子機器の長辺幅が狭くなるため、ユーザが電子機器を把持し易くなる。
【００６９】
本発明の態様５に係る電子機器は、前記態様１において、前記電子機器（１０）は、前記電子機器が折りたたまれた状態において、前記制御装置（１４）が、通話開始を指示する音声を、前記音声入力装置（マイク８）を介して認識する処理と、前記制御装置が、前記音声を認識したことをトリガとして、前記音声出力装置（第１イヤーピース１、第２イヤーピース２）および前記音声入力装置を介した通話を可能にする処理と、を実行しても良い。前記構成によれば、電子機器が折りたたまれた状態において、通話開始を指示する音声を認識したことをトリガとして通話を行うことができる。音声認識により通話が開始されるため、折りたたんだ状態の電子機器に操作キー等を設ける必要がない。
【００７０】
本発明の態様６に係る電子機器は、前記態様１において、前記電子機器（１０）は、前記電子機器が折りたたまれた状態において、前記制御装置（１４）が、通話開始を指示する操作指示を受付ける処理と、前記制御装置が、前記操作指示を受付けたことをトリガとして、前記音声出力装置（第１イヤーピース１、第２イヤーピース２）および前記音声入力装置（マイク８）を介した通話を可能にする処理と、を実行しても良い。前記構成によれば、電子機器が折りたたまれた状態において、通話開始を指示する操作指示を受付けたことをトリガとして通話を行うことができる。
【００７１】
本発明の態様７に係る電子機器は、前記態様２において、前記制御装置（１４）は、前記電子機器（１０）が前記着信状態にあり、前記通話が可能にされる前に折りたたまれた前記電子機器が開かれたときに、前記表示装置（６）に着信情報を表示させる処理を、さらに実行しても良い。前記構成によれば、電子機器が着信状態にあるときに、電子機器を開くという簡単な操作で、着信情報を見ることができる。
【００７２】
本発明の態様８に係る電子機器は、前記態様７において、前記制御装置（１４）は、前記表示装置（６）に前記着信情報を表示させた後、開かれた前記電子機器（１０）が折りたたまれたときに、前記音声出力装置（第１イヤーピース１、第２イヤーピース２）および前記音声入力装置（マイク８）を介した通話を可能にする処理を実行しても良い。前記構成によれば、着信情報を確認した後に、電子機器を折りたたむという簡単な操作で、通話を行うことができる。
【００７３】
本発明の態様９に係る電子機器は、前記態様１〜８の何れかにおいて、前記制御装置（１４）は、前記通話が可能にされてから、折りたたまれた前記電子機器（１０）が開かれたときに、前記通話を継続する処理と、前記通話が継続している状態で前記開かれた前記電子機器が折りたたまれたときに、前記通話を終了する処理と、を実行しても良い。前記構成によれば、通話中に電子機器を一旦開いてから折りたたむという簡単な操作により、通話を終了させることができる。
【００７４】
本発明の態様１０に係る電子機器は、前記態様１〜８の何れかにおいて、前記制御装置（１４）は、前記通話が可能になった後、折りたたまれた前記電子機器（１０）が開かれたときに、前記電子機器をハンズフリー通話可能な状態とする処理を実行しても良い。前記構成によれば、通話中に電子機器を開くという簡単な操作で、ハンズフリー通話可能な状態とすることができる。
【００７５】
本発明の態様１１に係る制御装置は、第１の筐体（第１筐体１１）と、第２の筐体（第２筐体１２）と、音声出力装置（第１イヤーピース１、第２イヤーピース２）と、音声入力装置（マイク８）と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器（１０）を制御する制御装置（１４）であって、前記電子機器が折りたたまれた状態であることを認識する開閉検知部（１４１）と、前記電子機器が着信状態になった後、前記開閉検知部が、前記電子機器が折りたたまれた状態であると認識した場合に、前記音声出力装置および前記音声入力装置を介した通話を可能にする処理を実行する通話処理部（１４３）とを含む。前記構成によれば、前記態様１と同様の効果を奏する。
【００７６】
本発明の態様１２に係る制御方法は、第１の筐体（第１筐体１１）と、第２の筐体（第２筐体１２）と、音声出力装置（第１イヤーピース１、第２イヤーピース２）と、音声入力装置（マイク８）と、を備え、前記音声出力装置は、前記第１の筐体の一面、および前記第２の筐体の一面、の何れか少なくとも一方に配され、前記第１の筐体の一面と前記第２の筐体の一面とが互いに外側になるように折りたたみ可能な電子機器（１０）を制御する制御装置（１４）の制御方法であって、前記電子機器が折りたたまれた状態であることを認識する開閉検知工程と、前記電子機器が着信状態になった後、前記開閉検知工程で、前記電子機器が折りたたまれた状態であると認識した場合に、前記音声出力装置および前記音声入力装置を介した通話を可能にする処理を実行する通話処理工程を含む。前記方法によれば、前記態様１と同様の効果を奏する。
【００７７】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００７８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７９】
１  第１イヤーピース（音声出力装置）
２  第２イヤーピース（音声出力装置）
８  マイク（音声入力装置）
１０  電子機器
１１  第１筐体（第１の筐体）
１２  第２筐体（第２の筐体）
１４１  開閉検知部
１４３  通話処理部
【図１】
2020123901.tif 000003
【図２】
2020123901.tif 000004
【図３】
2020123901.tif 000005
【図４】
2020123901.tif 000006